(57)【要約】      （修正有）【課題】水や酒等の液体が注がれたとき、グラスの底から拡散光を出射するグラスを提供する。【解決手段】筒部２の上部からお酒などの導電性を持つ液体３２が注ぎ込まれ、プラス側の検知電極ピン１７、マイナス側の検知電極ピン１８間の電気抵抗が小さくなったとき、ＩＣチップ９によって、これを検知し、赤色用のＬＥＤ６、青色用のＬＥＤ７、緑色用のＬＥＤ８を各々、点滅させる。【選択図】図２
0003150708.tif 000002
【実用新案登録請求の範囲】
【請求項１】
導電性を持つ液体が注ぎ込まれる筒部と、
下面、上面のうち、少なくともいずれか一方にプリズム効果を持つ凹凸が形成された透明部材によって構成され、前記筒部の下部側に配置されて、前記筒部の下部側を封止する光拡散板と、
前記光拡散板を貫通するように配置される複数の検知電極ピンと、
前記光拡散板の下側に配置され、各検知電極ピン間の抵抗値が予め設定されているしきい値以下になったとき、予め設定された周期、デューティ比で、複数の駆動パルス電流を出力する電子部品と、
前記光拡散板の下側に配置され、前記電子部品から各駆動パルス電流が出力されているとき、各々、前記光拡散板の下面から上方に向けて、予め設定されている色の光を断続的に出射する複数のＬＥＤと、
を備えたことを特徴とするグラス。
【請求項２】
前記電子部品は、前記各駆動パルス電流として、周期、デューティ比が一定の駆動パルス電流を出力する、
ことを特徴とする請求項１に記載のグラス。
【請求項３】
前記電子部品は、前記各駆動パルス電流として、周期、デューティ比が変化する駆動パルス電流を出力する、
ことを特徴とする請求項１に記載のグラス。
【考案の詳細な説明】
【技術分野】
【０００１】
本考案は、ショットグラスなどとして使用されるグラスに係わり、特に発光機能を有するグラスに関する。
【背景技術】
【０００２】
家庭やショットバーなどでは、使用者（顧客）を楽しませるため、グラス、コースターなどの各器具に工夫を凝らしたものを使用することが多い。図７は、のようなショットバーなどで使用されるコースターの一例を示す。
【０００３】
図７に示すコースター１０１は、円板状に形成されるコースター本体１０２と、コースター本体１０２に対し、傾倒自在に取り付けられるプレート１０３と、プレート１０３が傾いたとき、オン状態になる電源スイッチ１０４と、電源スイッチ１０４がオン状態になっているとき、発光するＥＬ（Electro Luminescence：電界発光）素子１０５とを備えており、プレート１０３上にグラスが載せられて、プレート１０３が傾き、電源スイッチ１０４がオン状態になったとき、ＥＬ素子１０５を発光させて、プレート１０３に描かれた模様、色彩、文字などを照らし出すことにより、使用者を楽しませる（実用新案公開平６−６６４６３号公報）。
【０００４】
図８はショットバーなどで使用される他のコースターの一例を示す概略構成図である。図８に示すコースター２０１は、カップ状に形成される下蓋２０２と、カップ状に形成され、下蓋２０２に上下移動自在に嵌め込まれる上蓋２０４と、下蓋２０２と上蓋２０４との間に配置され、上蓋２０４を上方に付勢するバネ２０３と、上蓋２０４が下方に移動したとき、オン状態になるスイッチ２０６と、スイッチ２０６がオン状態になっているとき、点滅する発光体２０７とを備えており、上蓋２０４にグラス２０５が載せられて、上蓋２０４が下方に移動し、スイッチ２０６がオン状態にされたとき、発光体２０７を点滅させて、上蓋２０４に設けられた透明窓２０８から光を出し、使用者を楽しませる（実用新案公開平５−１８３７３号公報）。
【先行技術文献】
【特許文献】
【０００５】
【特許文献１】実用新案公開平６−６６４６３号公報
【特許文献２】実用新案公開平５−１８３７３号公報
【考案の開示】
【考案が解決しようとする課題】
【０００６】
ところで、家庭やショットバーなどで使用される従来の器具は、コースターなどについては、図７、図８に示すように、多少構成が複雑で、コストが高くなるという、多少の問題があるものの、ある程度、使用者を楽しませることができるものが開発されている。
【０００７】
しかしながら、ショットバーなどで使用される他の器具、例えばグラスについては、簡単な機構で、使用者を楽しませることができるものが無かった。
【０００８】
本考案は上記の事情に鑑み、請求項１では、お酒などが注がれたとき、グラスの底から複数色の拡散光を断続的に発生させて、使用者を楽しませることができるグラスを提供することを目的としている。
【０００９】
また、請求項２では、回路構成を簡素化し、製造コストを低く抑えながら、お酒などが注がれたとき、一定周期的で、グラスの底から複数色の拡散光を断続的に出射させ、使用者を楽しませることができるグラスを提供することを目的としている。
【００１０】
また、請求項３では、お酒などが注がれたとき、グラスの底から複数色の拡散光を断続的に出射させるとともに、発光周期、発光デューティ比を自動的に変化させて、使用者を楽しませることができるグラスを提供することを目的としている。
【課題を解決するための手段】
【００１１】
上記の目的を達成するために本考案は、請求項１のグラスでは、導電性を持つ液体が注ぎ込まれる筒部と、下面、上面のうち、少なくともいずれか一方にプリズム効果を持つ凹凸が形成された透明部材によって構成され、前記筒部の下部側に配置されて、前記筒部の下部側を封止する光拡散板と、前記光拡散板を貫通するように配置される複数の検知電極ピンと、前記光拡散板の下側に配置され、各検知電極ピン間の抵抗値が予め設定されているしきい値以下になったとき、予め設定された周期、デューティ比で、複数の駆動パルス電流を出力する電子部品と、前記光拡散板の下側に配置され、前記電子部品から各駆動パルス電流が出力されているとき、各々、前記光拡散板の下面から上方に向けて、予め設定されている色の光を断続的に出射する複数のＬＥＤとを備えたことを特徴としている。
【００１２】
また、請求項２では、請求項１に記載のグラスにおいて、前記電子部品は、前記各駆動パルス電流として、周期、デューティ比が一定の駆動パルス電流を出力することを特徴としている。
【００１３】
また、請求項３では、請求項１に記載のグラスにおいて、前記電子部品は、前記各駆動パルス電流として、周期、デューティ比が変化する駆動パルス電流を出力することを特徴としている。
【考案の効果】
【００１４】
本考案に係るグラスは、水や酒等の液体が注がれたとき、グラスの底から複数色の拡散光を断続的に発生させて、使用者を楽しませることができる。
【００１５】
また、本考案のグラスにおいては、回路構成を簡素化し、製造コストを低く抑えながら、お酒などが注がれたとき、一定周期的で、グラスの底から複数色の拡散光を断続的に出射させ、使用者を楽しませることができる。
【００１６】
また、本考案のグラスでは、水や酒などが注がれたとき、グラスの底から複数色の拡散光を断続的に出射させるとともに、発光周期、発光デューティ比を自動的に変化させてこれを使用する者を楽しませることができる。
【図面の簡単な説明】
【００１７】
【図１】本考案によるグラスのうち、請求項１、２に対応する一形態を示す概略構成断面図である。
【図２】図１に示すグラスの使用例を示す概略構成断面図である。
【図３】図１に示すＩＣチップの詳細な構成例を示す回路図である。
【図４】図１に示す各ＬＥＤの発光タイミング例を示すタイミングチャートである。
【図５】本考案によるグラスのうち、請求項３に対応する、一形態で使用されるＩＣチップの一例を示す回路図である。
【図６】図５に示す各ＬＥＤの発光タイミング例を示すタイミングチャートである。
【図７】従来から知られているコースターの一例を示す概略構成図である。
【図８】従来から知られているコースターの一例を示す概略構成図である。
【考案を実施するための形態】
【００１８】
図１は本考案によるグラスのうち、請求項１、２に対応する一形態を示す概略構成断面図である。
【００１９】
この図に示すグラス１は、透明プラスチック、透明ガラス（または、半透明プラスチック、半透明ガラス）などによって構成される円筒形の筒部２と、下面側にプリズム効果を持つ凹凸３が形成された透明プラスチック、透明ガラス（または、半透明プラスチック、半透明ガラス）などによって構成され、筒部２の下部側に固定されて、筒部２の下部側を封止する光拡散板４と、透明プラスチック（または、半透明プラスチック）などによって構成され、筒部２の下部に嵌入、固定される中空円柱部材５と、複数のＬＥＤ（Light Emitting Diode：発光ダイオード）６、７、８、１つのＩＣチップ（請求項１、２、３に記載された電子部品）９などの電子部品などが搭載され、筒部２、光拡散板４、中空円柱部材５によって画成された空間内に配置される円板状のプリント基板１０と、中空円柱部材５の中央部分に形成された電池ボックス１１内に配置され、リード線を介してプリント基板１０に接続されるプラス電極板１２と、電池ボックス１１内に配置されたコイルバネなどによって構成され、リード線を介してプリント基板１０に接続されるマイナス電極部１３と、電池ボックス１１内に配置され、プラス電極板１２、マイナス電極部１３間に、直列に挿入される複数のボタン電池１４と、開閉用のコインなどが嵌め込まれる溝１５を持ち、電池ボックス１１を開閉自在に閉じる電池ボックス蓋１６と、上部がニッケル、チタンなどの耐腐食材でメッキされた導電性部材によって構成され、上部が光拡散板４の上に露出し、下部がプリント基板に接続されるように、光拡散板４に形成された縦穴に嵌入される検知電極ピン１７と、上部がニッケル、チタンなどの耐腐食材でメッキされた導電性部材によって構成され、検知電極ピン１７から所定距離だけ離されるとともに、上部が光拡散板４の上に露出し、下部がプリント基板に接続されるように、光拡散板４に形成された縦穴に嵌入される検知電極ピン１８とを備えている。
【００２０】
そして、図２に示す如く、ボトル３１などから、筒部２の上部にお酒などの導電性を持つ液体３２が注ぎ込まれ、プラス側の検知電極ピン１７と、マイナス側の検知電極ピン１８との間の電気抵抗が小さくなったとき、複数のボタン電池１４によって電源が供給されているプリント基板１０によって、これを検知して、各ＬＥＤ６、７、８を点滅させるとともに、各ＬＥＤ６、７、８から各々、出射される赤色光、青色光、緑色光を光拡散板４で拡散させて、グラス１を見ている使用者を楽しませる。
【００２１】
ＩＣチップ９は、図３に示す如くプラス電極板１２、マイナス電極部１３を介して、ボックス電池１４から出力される電源電圧を取り込み、プラス電極板１２に接続されているプラス側の検知電極ピン１７とマイナス側の検知電極ピン１８との間の電気抵抗が小さくなり、ボタン電池１４のプラス電極→プラス電極板１２→プラス側の検知電極ピン１７→マイナス側の検知電極ピン１８→信号入力端子１９なる経路で、ボタン電池１４で得られる電源電圧より小さい電圧値の電圧信号（導電検知信号）が印加されている間、発振して、赤色駆動パルス信号、青色駆動パルス信号、緑色駆動パルス信号を順次、サイクリックに出力する低周波発振回路２０と、プラス電極板１２、マイナス電極部１３を介して、ボックス電池１４から出力される電源電圧を取り込み、低周波発振回路２０から赤色駆動パルス信号、青色駆動パルス信号、緑色駆動パルス信号が各々、出力されているとき、赤色駆動パルス電流、青色駆動パルス電流、緑色駆動パルス電流を各々、出力して、赤色用のＬＥＤ６、青色用のＬＥＤ７、緑色用のＬＥＤ８を各々、点滅させるドライバ回路２１とを備えている。
【００２２】
そして、プラス電極板１２に接続されているプラス側の検知電極ピン１７とマイナス側の検知電極ピン１８との間の電気抵抗が大きいとき、低周波発振回路２０、ドライバ回路２１をオフ状態に保持し、電力消費量をゼロに保持する。
【００２３】
この後、ボトル３１などから、筒部２の上部にお酒などの導電性を持つ液体３２が注ぎ込まれ、プラス側の検知電極ピン１７と、マイナス側の検知電極ピン１８との間の電気抵抗が小さくなり、マイナス側の検知電極ピン１８から導電検知信号が出力されると、低周波発振回路２０をオン状態にさせて、一定の周期、一定のデューティ比（オン時間、オフ時間の比）にされた赤色駆動パルス信号、青色駆動パルス信号、緑色駆動パルス信号を順次、サイクリックに生成させる。
【００２４】
また、この動作と並行し、低周波発振回路２０から赤色駆動パルス信号、青色駆動パルス信号、緑色駆動パルス信号が出力されているとき、ドライバ回路２１をオン状態にさせて、赤色駆動パルス電流、青色駆動パルス電流、緑色駆動パルス電流を各々、出力させ、図４の（ａ）、（ｂ）、（ｃ）に示すタイミングで、赤色用のＬＥＤ６、青色用のＬＥＤ７、緑色用のＬＥＤ８を各々、点滅させる。
【００２５】
このように、この形態では、筒部２の上部からお酒などの導電性を持つ液体３２が注ぎ込まれ、プラス側の検知電極ピン１７、マイナス側の検知電極ピン１８間の電気抵抗が小さくなったとき、ＩＣチップ９によって、これを検知し、赤色用のＬＥＤ６、青色用のＬＥＤ７、緑色用のＬＥＤ８を各々、点滅させるようにしているので、お酒などが注がれたとき、グラス１の底から複数色の拡散光を出射させて、使用者を楽しませることができる（請求項１の効果）。
【００２６】
また、この形態では、筒部２の上部からお酒などの導電性を持つ液体３２が注ぎ込まれ、プラス側の検知電極ピン１７、マイナス側の検知電極ピン１８間の電気抵抗が小さくなったとき、ＩＣチップ９の低周波発振回路２０から一定の周期、一定のデューティ比にされた赤色駆動パルス信号、青色駆動パルス信号、緑色駆動パルス信号を順次、サイクリックに出力させるようにしているので、回路構成を簡素化し、製造コストを低く抑えながら、お酒などが注がれたとき、グラス１の底から一定周期で断続する複数色の拡散光を出射させ、使用者を楽しませることができる（請求項２の効果）。
【００２７】
また、上述した形態では、赤色用のＬＥＤ６、青色用のＬＥＤ７、緑色用のＬＥＤ８を一定の周期、一定のデューティ比、例えば“０．５秒”単位、デューティ比“１：１”で、順次、サイクリックに点滅させるようにしているが、図５に示すように、赤色駆動パルス信号、青色駆動パルス信号、緑色駆動パルス信号の周期、デューティ比を自動的に変化させる低周波発振回路２２を使用し、図６の（ａ）、（ｂ）、（ｃ）に示す如く、赤色用のＬＥＤ６、青色用のＬＥＤ７、緑色用のＬＥＤ８の点灯周期を“０．５秒”単位〜“５．０秒”単位の範囲で、周期的に変化させるとともに、デューティ比を“１：０．１”〜“０．１：１”の範囲で周期的に変化させるようにしても良い。
【００２８】
このようにすることにより、さらに視覚効果を高めて、さらに使用者を楽しませることができる（請求項３の効果）。
【００２９】
また、上述した形態では、グラス１を例にして、本考案を説明しているが、コップ、ビールジョッキ、デカンタ、水差し、ワインクーラ、アイスペール（氷入れ）などに本考案を適用するようにしても良い。
【産業上の利用可能性】
【００３０】
本考案は、ショットグラスなどとして使用されるグラスに係わり、特に発光機能を有するグラスに関するものであって、産業上の利用可能性を有する。
【符号の説明】
【００３１】
１：グラス
２：筒部
３：凹凸
４：光拡散板
５：中空円柱部材
６、７、８：ＬＥＤ
９：ＩＣチップ
１０：プリント基板
１１：電池ボックス
１２：プラス電極板
１３：マイナス電極部
１４：ボタン電池
１５：溝
１６：電池ボックス蓋
１７、１８：検知電極ピン
１９：信号入力端子
２０、２２：低周波発振回路
２１：ドライバ回路
【図１】
0003150708.tif 000003
【図２】
0003150708.tif 000004
【図３】
0003150708.tif 000005
【図４】
0003150708.tif 000006
【図５】
0003150708.tif 000007
【図６】
0003150708.tif 000008
【図７】
0003150708.tif 000009
【図８】
0003150708.tif 000010